(57)【要約】 【課題】ユーザによる項目選択が容易で、項目が配置される画像のデザインの自由度が高い選択装置１０１等を提供する。【解決手段】項目選択モードでは、画像表示部１０２が、項目が配置された画像をタッチスクリーンに表示する。検知部１０３がユーザによるタッチスクリーンに対する接触の軌跡を検知し、取得部１０４が軌跡の代表点を取得する。代表点の位置が所定の領域に含まれない場合、蓄積部１０５は、当該ユーザについて最新に取得された代表点の位置を、当該ユーザの選択結果として蓄積する。代表点の位置が所定の領域に含まれる場合、停止部１０６は、画像の表示を停止する。画像表示部１０２は、タッチスクリーン内の蓄積されている選択結果に係る位置に選択中マークを表示する。結果提示モードでは、結果提示部１０７は、ディスプレイに、画像を表示し、蓄積された全ユーザの各選択結果に係る位置に選択済マークを表示する。【選択図】図１
2013069018.tif 000002
【特許請求の範囲】
【請求項１】
項目選択モードと、結果提示モードと、を有する選択装置であって、
前記項目選択モードにおいて、ユーザが選択可能な項目が配置された画像をタッチスクリーンに表示する画像表示部、
前記項目選択モードにおいて、前記ユーザに対して前記画像が前記タッチスクリーンに表示されている間、前記ユーザによる前記タッチスクリーンへの接触が開始されてから当該接触が終了するまでの接触の軌跡を検知する検知部、
前記検知部により検知された軌跡の代表点を取得する取得部、
前記取得された代表点の位置が前記タッチスクリーン内の所定の領域に含まれない場合、当該ユーザに対して当該取得された代表点のうち最新に取得された代表点の位置を、選択結果として蓄積する蓄積部、
前記取得された代表点の位置が前記タッチスクリーン内の所定の領域に含まれる場合、前記画像の表示を停止する停止部
を備え、
前記項目選択モードにおいて、前記画像が前記タッチスクリーンに表示されている間、前記画像表示部は、前記蓄積部により前記ユーザによる選択結果が蓄積されていれば、前記タッチスクリーン内において、当該ユーザの選択結果に係る位置に選択中マークを表示し、
前記結果提示モードにおいて、前記画像をディスプレイに表示し、前記ディスプレイ内において、前記蓄積された選択結果のそれぞれに係る位置に選択済マークを表示する結果提示部
をさらに備えることを特徴とする選択装置。
【請求項２】
請求項１に記載の選択装置であって、
前記代表点の位置は、前記軌跡の重心位置であり、
前記選択済マークは、半透明の色彩を有する図形である
ことを特徴とする選択装置。
【請求項３】
請求項２に記載の選択装置であって、
前記選択中マークは、前記軌跡の形状を有する図形である
ことを特徴とする選択装置。
【請求項４】
請求項３に記載の選択装置であって、
前記タッチスクリーンは、前記画像表示部、前記検知部、前記取得部、前記蓄積部、前記停止部を実現する可搬端末と一体に構成され、
前記ディスプレイは、前記結果提示部を実現するコンピュータに接続され、
前記蓄積部に蓄積された選択結果は、前記可搬端末から前記コンピュータに伝送される
ことを特徴とする選択装置。
【請求項５】
請求項３に記載の選択装置であって、
前記ディスプレイは、前記タッチスクリーンである
ことを特徴とする選択装置。
【発明の詳細な説明】
【技術分野】
【０００１】
本発明は、ユーザが選択可能な項目が配置された画像において、ユーザが現在選択している選択項目を当該ユーザが容易に確認でき、各ユーザが選択した項目の傾向を容易に観察ができ、画像のデザインの自由度を高くすることができるような選択装置に関する。
【背景技術】
【０００２】
画像を表示する画面と、その画面に対する接触センサとを備えるタッチスクリーンを配備した可搬型の端末装置が普及している。このような可搬端末装置には、ビジネス用コンピュータに匹敵するような処理性能やアプリケーションが塔載されているものも多い。このような可搬端末装置は、無線ＬＡＮ（Local Area Network）等のコンピュータ通信網を介して、他のコンピュータと通信できるように構成されているのが一般的である。
【０００３】
このような可搬端末装置を利用して、ユーザに種々の画像を提示し、当該画像内における選択肢を選択させる技術が、たとえば特許文献１に提案されている。
【０００４】
この技術では、タッチスクリーンに各種アンケートの質問事項が表示され、ユーザはこの質問事項に応答して所定の項目をタッチスクリーン上で選択し、コンピュータに入力する。入力された情報はメモリーに記録され、この記録された情報は、所定のフォーマットに編集、分析され、その結果もメモリーに記録する。記録された情報を検索し、所望の情報を得ると共に、画面に表示またはプリンターで印刷が可能である。複数のアンケート装置を、コンピュータ通信網を介して中央管理センター等に設置されたサーバへ接続し、アンケート情報を管理することができる。アンケートの回答が顧客等から直接コンピュータへ入力されるので、タイムリーにアンケートを採取、集計、加工等を行うことができる。
【先行技術文献】
【特許文献】
【０００５】
【特許文献１】特開２００２−９９６９７号公報
【発明の概要】
【発明が解決しようとする課題】
【０００６】
しかしながら、上記のようなアンケートにおいては、質問事項に対する回答を表す項目が画面内のどの位置に配置されているかを、各項目ごとに設定する必要がある。したがって、ユーザに提示される画像のデザイン上の自由度が下がってしまい、魅力的なコンテンツを提供する支障となることも多い。
【０００７】
したがって、ユーザが選択可能な項目をどのように画像内に配置するか、のデザイン上の自由度を増す技術が強く求められている。
【０００８】
一方で、項目の配置を自由にできる場合には、自分が選択しようとしている項目をユーザが容易に確認できるようにする必要がある。
【０００９】
また、ユーザによる項目の選択結果をアンケートの集計者等が調査する際にも、選択結果の傾向を直観的にわかりやすく提示することが望ましい。
【００１０】
本発明は、上記のような課題を解決するためになされたもので、ユーザが選択可能な項目が配置された画像において、ユーザが現在選択している選択項目を当該ユーザが容易に確認でき、各ユーザが選択した項目の傾向を容易に観察ができ、画像のデザインの自由度を高くすることができるような選択装置を提供することを目的とする。
【課題を解決するための手段】
【００１１】
以上の目的を達成するため、本発明の原理にしたがって、下記の発明を開示する。
【００１２】
本発明の観点に係る選択装置は、項目選択モードと、結果提示モードと、を有し、
前記項目選択モードにおいて、ユーザが選択可能な項目が配置された画像をタッチスクリーンに表示する画像表示部、
前記項目選択モードにおいて、前記ユーザに対して前記画像が前記タッチスクリーンに表示されている間、前記ユーザによる前記タッチスクリーンへの接触が開始されてから当該接触が終了するまでの接触の軌跡を検知する検知部、
前記検知部により検知された軌跡の代表点を取得する取得部、
前記取得された代表点の位置が前記タッチスクリーン内の所定の領域に含まれない場合、当該ユーザに対して当該取得された代表点のうち最新に取得された代表点の位置を、選択結果として蓄積する蓄積部、
前記取得された代表点の位置が前記タッチスクリーン内の所定の領域に含まれる場合、前記画像の表示を停止する停止部
を備え、
前記項目選択モードにおいて、前記画像が前記タッチスクリーンに表示されている間、前記画像表示部は、前記蓄積部により前記ユーザによる選択結果が蓄積されていれば、前記タッチスクリーン内において、当該ユーザの選択結果に係る位置に選択中マークを表示し、
前記結果提示モードにおいて、前記画像をディスプレイに表示し、前記ディスプレイ内において、前記蓄積された選択結果のそれぞれに係る位置に選択済マークを表示する結果提示部
をさらに備えるように構成する。
【００１３】
また、本発明の選択装置において、
前記代表点の位置は、前記軌跡の重心位置であり、
前記選択済マークは、半透明の色彩を有する図形である
ように構成することができる。
【００１４】
また、本発明の選択装置において、
前記選択中マークは、前記軌跡の形状を有する図形である
ように構成することができる。
【００１５】
また、本発明の選択装置において、
前記タッチスクリーンは、前記画像表示部、前記検知部、前記取得部、前記蓄積部、前記停止部を実現する可搬端末と一体に構成され、
前記ディスプレイは、前記結果提示部を実現するコンピュータに接続され、
前記蓄積部に蓄積された選択結果は、前記可搬端末から前記コンピュータに伝送される
ように構成することができる。
【００１６】
また、本発明の選択装置において、
前記ディスプレイは、前記タッチスクリーンである
ように構成することができる。
【００１７】
本発明の選択装置は、可搬端末やコンピュータで適切なプログラムを実行することにより、当該可搬端末や当該コンピュータを当該選択装置の各部として機能させることによって実現することができる。
【００１８】
上記プログラムは、コンパクトディスク、フレキシブルディスク、ハードディスク、光磁気ディスク、ディジタルビデオディスク、磁気テープ、半導体メモリ等のコンピュータ読取可能な情報記憶媒体に記録することができる。
【００１９】
上記プログラムは、プログラムが実行される可搬端末やコンピュータとは独立して、コンピュータ通信網を介して配布・販売することができる。また、上記情報記憶媒体は、可搬端末やコンピュータとは独立して配布・販売することができる。
【発明の効果】
【００２０】
本発明によれば、ユーザが選択可能な項目が配置された画像において、ユーザが現在選択している選択項目を当該ユーザが容易に確認でき、各ユーザが選択した項目の傾向を容易に観察ができ、画像のデザインの自由度を高くすることができるような選択装置を提供することができる。
【図面の簡単な説明】
【００２１】
【図１】本実施形態に係る選択装置の概要構成を示す説明図である。
【図２】タッチスクリーンに表示される画像の例を示す説明図である。
【図３】ユーザによるタッチスクリーンへの接触の軌跡の様子を示す説明図である。
【図４】軌跡が検知された直後のタッチスクリーンの表示の様子を示す説明図である。
【図５】軌跡が検知された直後のタッチスクリーンの表示の様子を示す説明図である。
【図６】ディスプレイに表示される画像の例を示す説明図である。
【図７】ディスプレイに表示される画像の例を示す説明図である。
【発明を実施するための形態】
【００２２】
以下に本発明の実施形態を説明する。以下に説明する実施形態は説明のためのものであり、本願発明の範囲を制限するものではない。したがって、当業者であればこれらの各要素もしくは全要素をこれと均等なものに置換した実施形態を採用することが可能であるが、これらの実施形態も本発明の範囲に含まれる。
【実施例１】
【００２３】
図１は、本実施形態に係る選択装置の概要構成を示す説明図である。以下、本図を参照して説明する。
【００２４】
本図に示す選択装置１０１は、タッチスクリーンを有する可搬端末が所定のプログラムを実行することにより実現される。また、態様によっては、当該可搬端末ならびにこれと通信可能なコンピュータの組み合わせにより、両者でそれぞれ所定のプログラムを実行することによって実現しても良い。
【００２５】
選択装置１０１には、２つの動作モードがある。項目選択モードと結果提示モードである。
【００２６】
項目選択モードは、たとえば、多数のユーザに対してアンケートに対する回答を求める際に利用されるモードである。一方、結果提示モードは、アンケートに対する回答の傾向を分析する際に利用されるモードである。
【００２７】
ここで、選択装置１０１は、画像表示部１０２、検知部１０３、取得部１０４、蓄積部１０５、停止部１０６、結果提示部１０７を備える。
【００２８】
ここで、画像表示部１０２は、項目選択モードにおいて、ユーザが選択可能な項目が配置された画像をタッチスクリーンに表示する。
【００２９】
図２は、タッチスクリーンに表示される画像の例を示す説明図である。以下、本図を参照して説明する。
【００３０】
本図に示すように、可搬端末２０１のタッチスクリーン２０２には、画像２０３が表示されている。
【００３１】
画像２０３には、「好きな果物は？」という質問２０４に対する回答として、リンゴ２０５、ミカン２０６、バナナ２０７の形状の図形が配置されている。
【００３２】
本発明では、質問２０４の字体や位置、配置、大きさも、リンゴ２０５等の回答の図形の形状や配置も自由なデザインを採用することができ、これによって、ユーザに対する訴求力を高めることができる。
【００３３】
なお、画像２０３の右下には右矢印２０８、左上には左矢印２０９が配置されている。これらは、画像２０３を切り替えて、他のアンケート等の画像に移動するためのものであり、一方が「戻る」、他方が「進む」に相当する。
【００３４】
右矢印２０８と左矢印２０９が配置される領域は、画像２０３を含む複数用意された画像において、あらかじめ定めた共通する領域としておく。したがって、画像２０３のデザインにおいては、右矢印２０８と左矢印２０９が配置される位置については、自由度がない。
【００３５】
ただし、右矢印２０８と左矢印２０９の形状は自由に変更が可能であるし、それぞれ「次へ」「前へ」などの文字に変更しても良いし、これらの文字を含むボタンのような形状の図形としても良い。
【００３６】
一方、検知部１０３は、項目選択モードにおいて、ユーザに対して画像２０３がタッチスクリーン２０２に表示されている間、ユーザによるタッチスクリーン２０２への接触が開始されてから当該接触が終了するまでの接触の軌跡を検知する。
【００３７】
図２に示す画像において、ユーザが、好きな果物として、最初はリンゴ２０５を選んでいたが、結局はミカン２０６を選び直して、次のアンケートに進んだ場合を考える。
【００３８】
図３は、ユーザによるタッチスクリーン２０２への接触の軌跡の様子を示す説明図である。以下、本図を参照して説明する。
【００３９】
本図には、タッチスクリーン２０２に画像２０３が表示されている間に、ユーザがリンゴ２０５にタッチした際の軌跡３０１ａと、ユーザがミカン２０６にタッチした際の軌跡３０１ｂと、ユーザが次のアンケートに進むため、右矢印２０８を選んだ際の軌跡３０１ｃと、が図示されている。以下、軌跡３０１ａ、３０１ｂ、３０１ｃに共通する事項など、添字のみ異なる事物に共通する仕様や特質、特徴については、添字の英小文字を省略して説明する。
【００４０】
さらに、取得部１０４は、検知部１０３により検知された軌跡３０１の代表点を取得する。
【００４１】
軌跡３０１の代表点としては、当該軌跡３０１に含まれるすべての点の集合をそのまま利用しても良いし、軌跡３０１に含まれるすべての点の平均、すなわち、重心を採用しても良い。図３には、軌跡３０１の重心３０２が、代表点としてそれぞれ図示されている。
【００４２】
そして、蓄積部１０５は、取得された代表点の位置がタッチスクリーン２０２内の所定の領域に含まれない場合、当該ユーザに対して当該取得された代表点のうち最新に取得された代表点の位置を、選択結果として蓄積する。
【００４３】
一方、停止部１０６は、取得された代表点の位置がタッチスクリーン２０２内の所定の領域に含まれる場合、画像２０３の表示を停止する。
【００４４】
ここで、所定の領域とは、本実施例では、右矢印２０８が配置されている領域と、左矢印２０９が配置されている領域と、を意味する。
【００４５】
上記の例で考えると、軌跡３０１ａが検知されると、その代表点３０２ａの位置は、所定の領域に含まれない。したがって、当該ユーザによる選択結果として、ひとまず代表点３０２ａの位置、すなわち、リンゴ２０５の近傍の位置が蓄積される。
【００４６】
次に、軌跡３０１ｂが検知されると、その代表点３０２ｂの位置は、所定の領域に含まれない。したがって、当該ユーザによる選択結果として、先程の代表点３０２ａは取り消されて、代表点３０２ｂの位置、すなわち、ミカン２０６の位置が蓄積され直すことになる。
【００４７】
最後に、軌跡３０１ｃが検知されると、その代表点３０２ｃの位置は、所定の領域に含まれる。したがって、画像２０３の表示は停止されて、次のアンケート用の新たな画像がタッチスクリーン２０２に表示されることとなる。
【００４８】
また、当該ユーザによる選択結果は、結局代表点３０２ｂの位置となる。
【００４９】
さて、本実施形態では、項目選択モードにおいて、画像２０３がタッチスクリーン２０２に表示されている間、画像表示部１０２は、蓄積部１０５によりユーザによる選択結果が蓄積されていれば、タッチスクリーン２０２内において、当該ユーザの選択結果に係る位置に選択中マークを表示する。
【００５０】
図４は、軌跡３０１ａが検知された直後のタッチスクリーン２０２の表示の様子を示す説明図である。
【００５１】
本図に示すように、タッチスクリーン２０２内には、リンゴ２０５の近傍、すなわち、代表点３０２ａの位置に星型の選択中マーク４０１が表示されている。
【００５２】
図５は、軌跡３０１ｂが検知された直後のタッチスクリーンの表示の様子を示す説明図である。
【００５３】
本図に示すように、タッチスクリーン２０２内には、選択中マーク４０１の位置が図４の状態から移動している。すなわち、選択中マーク４０１は、ミカン２０６の近傍、すなわち、代表点３０２ｂの位置に移動している。
【００５４】
この後、軌跡３０１ｃが検知されると、ユーザの画像２０３に対する回答は終了したことになり、次のアンケートに進むことになる。
【００５５】
このように、本実施形態においては、ユーザが所定の領域をタッチする前にタッチした場所が、当該ユーザの選択結果となる。
【００５６】
ユーザがタッチする場所を間違えても、再度所望の場所をタッチするだけで、選択中マーク４０１が移動する。したがって、ユーザは、画像２０３に配置されている項目を容易に選択できるし、確認しながら選択をやり直すことも容易にできる。
【００５７】
なお、本例では、選択中マーク４０１として、星型の図形を採用しているが、選択中マーク４０１の形状として、直前に検知された軌跡３０１の形状をそのまま採用することとしても良い。
【００５８】
すなわち、ユーザがタッチスクリーン２０２に対して最後（最新）にタッチを開始してから最後（最新）のタッチを終了するまでの軌跡３０１が、選択中マーク４０１として画面に表示される、という態様である。
【００５９】
この態様では、ユーザがタッチスクリーン２０２をなぞった軌跡のうち、最後の一筆のみがタッチスクリーン２０２に表示される。
【００６０】
したがって、この態様では、軌跡３０１ａが検知された後は、軌跡３０１ａがそのままタッチスクリーン２０２に表示され、その後に軌跡３０１ｂが検知されると、軌跡３０１ａはタッチスクリーン２０２から消去されて軌跡３０１ｂがタッチスクリーン２０２に表示されることになる。
【００６１】
さて、このようにして、多数のユーザに対するアンケートが終了した後、その選択の傾向を調べる結果提示モードが、集計者の操作等によって開始される。
【００６２】
結果提示モードにおいて、結果提示部１０７は、画像２０３をディスプレイに表示し、ディスプレイ内において、蓄積された選択結果のそれぞれに係る位置に選択済マークを表示する。
【００６３】
図６は、ディスプレイに表示される画像の例を示す説明図である。以下、本図を参照して説明する。
【００６４】
本図に示すように、ディスプレイ６０１には、画像２０３のほか、各ユーザにおける選択結果の位置を示す選択済マーク６０２が多数表示されている。
【００６５】
本図に示す選択済マーク６０２は、理解を容易にするため、丸印の網かけによって示されているが、実際には半透明の色をしている。選択済マーク６０２同士が重なった場合には色が濃くなるため、それだけ多数のユーザがその位置を選択したことが容易に把握できる。
【００６６】
たとえば本図では、リンゴ２０５を選択したユーザが多いことが、容易にわかる。
【００６７】
ここで、ディスプレイ６０１は、可搬端末２０１のタッチスクリーン２０２をそのまま利用しても良い。この場合には、当該可搬端末２０１においてユーザが選択した選択結果の傾向が判明することとなる。
【００６８】
一方、ディスプレイ６０１を、可搬端末２０１と無線ＬＡＮ等を介して通信するコンピュータに接続されたものを採用しても良い。この場合には、可搬端末２０１内に蓄積された選択結果をコンピュータが集積して、その結果をディスプレイ６０１に表示することになる。
【００６９】
この場合には、画像表示部１０２から停止部１０６までは可搬端末２０１により実現されるが、結果提示部１０７はコンピュータにより実現される。すなわち、１台もしくは複数台の可搬端末２０１とコンピュータの組み合わせによって、選択装置１０１が実現されることになる。
【００７０】
なお、選択済マーク６０２として、当該選択結果に対する軌跡３０１の形状を採用しても良い。図７は、この態様においてディスプレイに表示される画像の例を示す説明図である。
【００７１】
本図に示すように、各ユーザが画像２０３が表示されているタッチスクリーン２０２において最後になぞった軌跡３０１が重ねて表示されるため、ユーザがどのような選択行動を行ったのか、の傾向が容易に把握できる。
【産業上の利用可能性】
【００７２】
以上説明したように、本発明によれば、ユーザが選択可能な項目が配置された画像において、ユーザが現在選択している選択項目を当該ユーザが容易に確認でき、各ユーザが選択した項目の傾向を容易に観察ができ、画像のデザインの自由度を高くすることができるような選択装置を提供することができる。
【符号の説明】
【００７３】
１０１  選択装置
１０２  画像表示部
１０３  検知部
１０４  取得部
１０５  蓄積部
１０６  停止部
１０７  結果提示部
２０１  可搬端末
２０２  タッチスクリーン
２０３  画像
２０４  質問
２０５  リンゴ
２０６  ミカン
２０７  バナナ
２０８  右矢印
２０９  左矢印
３０１  軌跡
３０２  代表点
４０１  選択中マーク
６０１  ディスプレイ
６０２  選択済マーク
【図１】
2013069018.tif 000003
【図２】
2013069018.tif 000004
【図３】
2013069018.tif 000005
【図４】
2013069018.tif 000006
【図５】
2013069018.tif 000007
【図６】
2013069018.tif 000008
【図７】
2013069018.tif 000009